(57)【要約】【課題】  構造を簡略化し、パネル開閉操作を簡単に行えるようにする。【解決手段】  互いに直交する第１、第２の側面１０Ａ，１０Ｂを有し、パネル２の一端２ａが固定される第１のフレーム部材１０と、互いに直交する第３、第４の側面１０′Ａ，１０′Ｂを有し、パネル２の一端２ａが固定される第２のフレーム部材１０′と、側面１０Ａ，１０′Ａの面接触によるパネル伸展状態と側面１０Ｂ，１０′Ｂの面接触によるパネル折畳み状態とをとり得るように、各フレーム部材１０，１０′を回動自在に連結する可撓性の連結部３Ｃを有する継手部材３とを設ける。継手部材３の両端の係止端部３Ａ，３Ｂは、各フレーム部材１０，１０′に形成した第１、第２の係止穴１０ａ，１０′ａに係止されており、各係止穴１０ａ，１０′ａの開口幅Ｄは連結部３Ｃの厚みｔよりも大きい。各係止穴１０ａ，１０′ａの開口部は、各側面の面接触状態時に互いに連通している。【選択図】  図１
2005146778.tif 000002
【特許請求の範囲】
【請求項１】
折畳み扉（１）のパネル継手構造であって、
互いに直交する第１および第２の側面（１０Ａ，１０Ｂ）を有し、第１および第２の側面（１０Ａ，１０Ｂ）で囲まれた平面形状内において第１および第２の側面（１０Ａ，１０Ｂ）の角部に開口する第１の係止穴（１０ａ）を有するとともに、薄板状の第１のパネル（２）の一端（２ａ）が固定される第１のフレーム部材（１０）と、
互いに直交しかつ第１および第２の側面（１０Ａ，１０Ｂ）にそれぞれ当接し得る第３および第４の側面（１０′Ａ，１０′Ｂ）を有し、第３および第４の側面（１０′Ａ，１０′Ｂ）で囲まれた平面形状内において第３および第４の側面（１０′Ａ，１０′Ｂ）の角部に開口する第２の係止穴（１０′ａ）を有するとともに、薄板状の第２のパネル（２）の一端（２ａ）が固定される第２のフレーム部材（１０′）と、
第１および第３の側面（１０Ａ，１０′Ａ）の面接触によるパネル伸展状態ならびに第２および第４の側面（１０Ｂ，１０′Ｂ）の面接触によるパネル折畳み状態をとり得るように、第１および第２のフレーム部材（１０，１０′）を回動自在に連結する可撓性の連結部（３Ｃ）を有する継手部材（３）とを備え、
第１および第２の係止穴（１０ａ，１０′ａ）の各開口部が、第１および第３の側面（１０Ａ，１０′Ａ）による面接触状態時ならびに第２および第４の側面（１０Ｂ，１０′Ｂ）による面接触状態時には、互いに連通するように隣接して配置されており、
継手部材（３）が、連結部（３Ｃ）の両端に配置されかつ第１および第２の係止穴（１０ａ，１０′ａ）にそれぞれ係止する一対の係止端部（３Ａ，３Ｂ）を有しており、
第１および第２の係止穴（１０ａ，１０′ａ）の各開口部における開口幅（Ｄ）が継手部材（３）の連結部（３Ｃ）の厚み（ｔ）よりも大きくなっている、
ことを特徴とする折畳み扉のパネル継手構造。
【請求項２】
請求項１において、
連結部（３Ｃ）および一対の係止端部（３Ａ，３Ｂ）が一体成形されている、
ことを特徴とする折畳み扉のパネル継手構造。
【請求項３】
請求項１において、
一対の係止端部（３Ａ，３Ｂ）がそれぞれローラ部材（３０，３１）から構成され、連結部（３Ｃ）が、各ローラ部材（３０，３１）の軸方向に延びる板状部材（３３）から構成されるとともに、板状部材（３３）の各端部（３３ａ，３３ｂ）が、各ローラ部材（３０，３１）の対向側に形成された一対の係止溝（３０ａ，３１ａ）に係止されている、
ことを特徴とする折畳み扉のパネル継手構造。
【発明の詳細な説明】
【技術分野】
【０００１】
本発明は、折畳み扉のパネル継手構造において、その構造の改良に関する。
【背景技術】
【０００２】
建物や仕切り壁の開口部の開閉に折畳み扉が用いられている。折畳み扉には、２枚のパネルを回動自在に連結してなる折戸型のものや３枚以上のパネルを各々回動自在に連結してなるアコーディオン型のものがある。
【０００３】
従来の折畳み扉の継手構造は、実開平５−５４７８６号公報に示すように、隣接配置された各パネルにそれぞれ設けられた軸受と、各軸受に回動自在に支持された一対の軸を有する継手とを備えており、各パネルの回動時には、軸が軸受に支持されることにより、各パネルが伸展状態または折畳み状態におかれるようになっている。
【０００４】
しかしながら、前記従来の構成では、パネル開閉時には、軸に形成された突起が軸受の内周面上を摺動するとともに、軸受に形成されたガイド片が副軸受の内周面上を摺動するように構成されている。このため、パネル開閉時の摺動抵抗により、パネルの開閉が重くなったり、また音が発生したりするなどの問題が生じる。さらに、継手部分の構造が複雑になるという問題もある。
【特許文献１】実開平５−５４７８６号公報
【発明の開示】
【発明が解決しようとする課題】
【０００５】
本発明が解決しようとする課題は、折畳み扉のパネル継手構造において、構造を簡略化し、パネル開閉操作を簡単に行えるようにする点にある。
【課題を解決するための手段】
【０００６】
請求項１の発明に係る折畳み扉のパネル継手構造は、互いに直交する第１および第２の側面を有し、第１および第２の側面で囲まれた平面形状内において第１および第２の側面の角部に開口する第１の係止穴を有するとともに、薄板状の第１のパネルの一端が固定される第１のフレーム部材と、互いに直交しかつ第１および第２の側面にそれぞれ当接し得る第３および第４の側面を有し、第３および第４の側面で囲まれた平面形状内において第３および第４の側面の角部に開口する第２の係止穴を有するとともに、薄板状の第２のパネルの一端が固定される第２のフレーム部材と、第１および第３の側面の面接触によるパネル伸展状態ならびに第２および第４の側面の面接触によるパネル折畳み状態をとり得るように、第１および第２のフレーム部材を回動自在に連結する可撓性の連結部を有する継手部材とを備えている。第１および第２の係止穴の各開口部は、第１および第３の側面による面接触状態時ならびに第２および第４の側面による面接触状態時には、互いに連通するように隣接して配置されている。継手部材は、連結部の両端に配置されかつ第１および第２の係止穴にそれぞれ係止する一対の係止端部を有している。第１および第２の係止穴の各開口部における開口幅は、継手部材の連結部の厚みよりも大きくなっている。
【０００７】
請求項１の発明によれば、パネル開閉時には、継手部材の可撓性の連結部が屈曲することにより、各パネルが回動するようになっているので、パネル継手構造全体の構造を簡略化でき、パネル開閉操作を円滑に行えるようになる。また、この場合、パネル伸展状態では、第１および第３の側面が面接触し、またパネル折畳み状態では、第２および第４の側面が面接触しているので、いずれの状態においても、各パネルを安定した状態におくことができる。
【０００８】
さらに、この場合には、第１および第２の係止穴の各開口部における開口幅が継手部材の連結部の厚みよりも大きくなっているので、各パネルの回動を円滑に行えるようになるとともに、各パネルの回動時には、継手部材自身も回動しつつ屈曲することになるので、継手部材の屈曲角度を低減でき、これにより、継手部材の耐久性を向上できる。
【０００９】
請求項２の発明では、継手部材の連結部および一対の係止端部が一体成形されている。
【００１０】
請求項３の発明では、一対の係止端部がそれぞれローラ部材から構成され、連結部が、各ローラ部材の軸方向に延びる板状部材から構成されるとともに、板状部材の各端部が、各ローラ部材の対向側に形成された一対の係止溝に係止されている。
【発明の効果】
【００１１】
本発明に係る折畳み扉の継手構造によれば、構造を簡略化でき、パネル開閉操作を簡単に行えるようになる。
【発明を実施するための最良の形態】
【００１２】
以下、本発明の実施例を添付図面に基づいて説明する。
図１ないし図４は本発明の一実施例による折畳み扉のパネル継手構造を説明するための図であって、図１はパネル継手構造が採用された折畳み扉の折畳み状態から伸展状態への移行動作を説明するための平面図、図２は折畳み扉の伸展状態の平面部分図、図３は伸展状態の折畳み扉の一部拡大図、図４は図３の一部拡大図である。
【００１３】
図１に示すように、この折畳み扉１は、薄板状の第１のパネル２の一端２ａが固定された、紙面垂直方向に延びる第１のフレーム部材１０と、第１のフレーム部材１０に隣り合って配置されるとともに、薄板状の第２のパネル２の一端２ａが固定された、紙面垂直方向に延びる第２のフレーム部材１０′と、これらのフレーム部材１０，１０′を回動自在に連結する継手部材３とを備えている。なお、図１では現れていないが、継手部材３は、各フレーム部材１０，１０′の底面側にも設けられている。
【００１４】
第１および第２のフレーム部材１０，１０′は、たとえばアルミニウムなどの軽金属から構成されている。継手部材３は、たとえばナイロン、ポリプロピレン、高分子ポリエチレンなどの樹脂から構成されている。パネル２は、たとえばアルミニウム、ステンレス鋼またはプラスチックから構成されている。
【００１５】
第１のフレーム部材１０は、互いに直交する第１および第２の側面１０Ａ，１０Ｂを有している。同様に、第２のフレーム部材１０′は、互いに直交しかつ第１および第２の側面１０Ａ，１０Ｂにそれぞれ当接し得る第３および第４の側面１０′Ａ，１０′Ｂを有している。各フレーム部材１０，１０′の第１および第３の側面１０Ａ，１０′Ａが面接触することにより、各パネル２が一直線上に配置されてパネル伸展状態（図２参照）となり、また、各フレーム部材１０，１０′の第２および第４の側面１０Ｂ，１０′Ｂが面接触することにより、各パネル２が平行に対向配置されてパネル折畳み状態（図１参照）となる。
【００１６】
第１のフレーム部材１０において第１の側面１０Ａと対向する逆側の面には、その両端側にそれぞれ溝１１，１２が形成されており、パネル２の一端２ａは、一方の溝１１に取り付けられている。同様に、第２のフレーム部材１０´においても第３の側面１０´Ａと対向する逆側の面に一対の溝が形成されており、パネル２の一端２ａはそのうちの一方の溝に取り付けられている。
【００１７】
なお、図１中の他のフレーム部材には、後述するパネル開閉動作の説明の便宜上、１０１〜１０６の符号を付している。これらのフレーム部材のうち、フレーム部材１０３，１０４は、第１および第２のフレーム部材１０，１０′と同様の構成を有しているが、フレーム部材１０１，１０２およびフレーム部材１０５，１０６は、パネル２の取付位置のみが第１および第２のフレーム部材１０，１０′と異なっている。
【００１８】
図３に示すように、第１のフレーム部材１０は、第１および第２の側面１０Ａ，１０Ｂで囲まれた平面形状内において、第１および第２の側面１０Ａ，１０Ｂの角部に開口する第１の係止穴１０ａを有している。同様に、第２のフレーム部材１０′は、第３および第４の側面１０′Ａ，１０′Ｂで囲まれた平面形状内において、第３および第４の側面１０′Ａ，１０′Ｂの角部に開口する第２の係止穴１０´ａを有している。第１および第２の係止穴１０ａ，１０′ａの各開口部は、第１および第３の側面１０Ａ，１０′Ａが面接触したパネル伸展状態時（図２参照）ならびに第２および第４の側面１０Ｂ，１０′Ｂが面接触したパネル折畳み状態時（図１参照）において、互いに連通するように隣接して配置されている。
【００１９】
また、図３中、参照符号４，４′は、図示しないガイドローラが取り付けられるガイドローラ取付穴である。これらのガイドローラは、図３左右方向に延びる直線状のガイドレール（図示せず）にスライド自在に係合しており、折畳み扉１の開閉時には、各ガイドローラがガイドレールに沿ってスライドするようになっている。なお、ガイドローラ取付穴４，４′は、各フレーム部材１０，１０′の中央位置よりも第１、第３の側面１０Ａ，１０′Ａから離れる側の位置に配置されているのが好ましい。この場合には、ガイドローラ取付穴４，４′に取り付けられる各ガイドローラの径を大きくすることができる。これにより、ガイドレール内での各ガイドローラの回転がスムーズになって、折畳み扉の開閉もスムーズに行えるようになり、塵埃が多い環境下でもスムーズな動きを実現できる。
【００２０】
一方、継手部材３は、両端に塊状に設けられた一対の係止端部３Ａ，３Ｂと、これらを連結する可撓性の連結部３Ｃとを有している。各係止端部３Ａ，３Ｂは、第１および第２のフレーム部材１０，１０′の各係止穴１０ａ，１０′ａにそれぞれ挿入されて係止されている。また、図４に示すように、第１の係止穴１０ａ（第２の係止穴１０′についても同様）の各開口部における開口幅Ｄは、該開口部における継手部材３の連結部３Ｃの厚みｔよりも大きくなっている。すなわち
ｔ＜Ｄ
となっている。また、連結部３Ｃの厚みｔ´は
ｔ´＝０．１〜１．０（ｍｍ）
に設定されている。
【００２１】
また、図２に示すように、第１および第２のフレーム部材１０，１０′の上面および底面に第３および第４のフレーム部材１３，１４を設けるようにしてもよい。この場合には、各パネル２は、その四辺を４つのフレーム部材で囲まれることになり、薄板状のパネル２の四辺がフレーム部材で補強されるようになる。
【００２２】
次に、上述のように構成される折畳み扉の開閉動作について説明する。
折畳み扉１を折畳み状態（図１）から伸展状態（図２）にするには、まず、最外側のパネル２を外側に引き出す。すると、最外側のパネル２は、フレーム部材１０に連結された継手部材３の可撓性の連結部３Ｃが屈曲することにより、フレーム部材１０′の回りを徐々に回動する（図１参照）。
【００２３】
その一方、フレーム部材１０′は、フレーム部材１０により外側に引き出され、フレーム部材１０３から離反すると同時に、フレーム部材１０１とともにフレーム部材１０２の回りを回動する。
【００２４】
また、フレーム部材１０２は、フレーム部材１０１により外側に引き出され、フレーム部材１０５から離反すると同時に、フレーム部材１０３とともにフレーム部材１０４の回りを回動する。
【００２５】
以下、同様にして、最外側のパネル２の動きに連動して各パネル２が次々に引き出されることになり、引き出された各パネル２を直線状に配置することによって、折畳み扉１が、図２に示すような伸展状態におかれることになる。
【００２６】
この伸展状態においては、各フレーム部材は、図３に示すように、第１の側面１０Ａと第３の側面１０′Ａとが互いに面接触した状態におかれており、これにより、各パネルを安定した状態におくことができる。
【００２７】
一方、折畳み状態においては、図１に示すように、各フレーム部材は、第２の側面１０Ｂと第４の側面１０′Ｂとが互いに面接触した状態におかれており、同様にして、各パネルを安定した状態におくことができる。
【００２８】
また、扉の開閉時には、継手部材３の可撓性の連結部３Ｃが屈曲することにより、各フレーム部材を介して各パネル２が回動するようになっているので、パネル継手構造全体の構造を簡略化でき、扉の開閉操作を円滑に行えるようになる。
【００２９】
さらに、この場合には、各係止穴１０の各開口部における開口幅Ｄが継手部材３の連結部３Ｃの厚みｔよりも大きくなっているので、各パネル２の回動を円滑に行えるようになるとともに、各パネル２の回動時には、継手部材３自身も回動できるようになって、継手部材３の屈曲角度を低減でき、これにより、継手部材３の耐久性を向上できる。
【００３０】
なお、前記実施例では、各フレーム部材においていずれか一方の溝１１または１２にパネル２を取り付けるようにした例を示したが、本発明の適用はこれには限定されず、双方の溝１１および１２にパネル２を取り付けるようにしてもよい。この場合には、一層の防音効果が期待できるばかりでなく、折畳み扉が工作機械の回りに設置されるようなアプリケーションにおいて、より一層の安全対策に寄与できる。
【００３１】
また、前記実施例では、継手部材３の連結部３Ｃおよび各係止端部３Ａ，３Ｂが一体成形された例を示したが、本発明の適用はこれに限定されない。
【００３２】
図５は、継手部材３の連結部３Ｃおよび各係止端部３Ａ，３Ｂがそれぞれ別体に構成された、本発明の他の実施例を示しており、（ａ）は継手部材の平面図、（ｂ）は正面図、（ｃ）は（ｂ）のＣ−Ｃ線断面図である。
【００３３】
これらの図に示すように、継手部材３は、所定間隔を隔てて対向配置された、たとえば樹脂製の一対のローラ部材３０，３１と、各ローラ部材３０，３１の軸方向に延びる板状部材３３とから構成されている。板状部材３３は、たとえばアルミニウム、ステンレス鋼またはプラスチックから構成されており、その板厚はたとえば０．１〜０．３ｍｍのものが用いられており、図５（ａ）の紙面垂直方向に延びる軸の回りに屈曲し得るようになっている。ここでは、各ローラ部材３０，３１が前記実施例の各係止端部３Ａ，３Ｂに相当しており、板状部材３３が前記実施例の連結部３Ｃに相当している。
【００３４】
各ローラ部材３０，３１の対向側には、軸方向に延びる横断面矩形状の係止溝３０ａ，３１ａがそれぞれ形成されている。板状部材３３の各端部３３ａ，３３ｂは、これらの係止溝３０ａ，３１ａにそれぞれ係止されている。
【００３５】
また、板状部材３３の各端部３３ａ，３３ｂには、板状部材３３を板厚方向に貫通する複数の貫通孔３４が形成されている。
【００３６】
継手部材３を製作する際には、まず、各ローラ部材３０，３１とは別個に製作された板状部材３３を用意する。次に、各ローラ部材３０，３１の樹脂成形時に、金型内に板状部材３３をセットして樹脂成形を行う。これにより、板状部材３３の各貫通孔３４内には、各ローラ部材３０，３１を構成する樹脂が浸入し（図５（ｃ）中の参照符号３１ｃ部分参照）これにより、板状部材３３が各ローラ部材３０，３１に強固に固定されることになる。
【００３７】
折畳み扉の開閉時には、継手部材３の板状部材３３が屈曲することにより、各フレーム部材が回動するので、前記実施例と同様に、パネル継手構造全体の構造を簡略化でき、扉の開閉操作を円滑に行えるようになる。
【００３８】
なお、図５の例では、板状部材３３の各端部３３ａ，３３ｂに貫通孔３４を形成し、ローラ部材３０，３１の成形時にこれらの貫通孔３４内に樹脂を流し込んで成形することにより、板状部材３３を各ローラ部材３０，３１に固定した例を示したが、本発明の適用はこれに限定されない。
【００３９】
板状部材３３の各端部３３ａ，３３ｂをそれぞれフック状に折り曲げたものを用意し、ローラ部材３０，３１の成形時にこれらのフック状部分を各ローラ部材３０，３１の内部に埋設させるようにしてもよい。この場合には、各フック状部分により各ローラ部材３０，３１からの抜け止めがなされるので、板状部材３３に貫通孔を形成する必要がなくなる。なお、板状部材３３の各端部３３ａ，３３ｂに形成する形状としては、フック状以外に種々の形状が考えられる。
【図面の簡単な説明】
【００４０】
【図１】本発明の一実施例によるパネル継手構造が採用された折畳み扉の折畳み状態から伸展状態への移行動作を説明するための平面部分図である。
【図２】折畳み扉（図1）の伸展状態の平面部分図である。
【図３】伸展状態の折畳み扉の一部拡大図である。
【図４】図３の一部拡大図である。
【図５】（ａ）は本発明の他の実施例による継手部材の平面図、（ｂ）は正面図、（ｃ）は（ｂ）のＣ−Ｃ線断面図である。
【符号の説明】
【００４１】
１：  折畳み扉
２：  パネル
２ａ：  一端
３：  継手部材
３Ａ：  係止端部
３Ｂ：  係止端部
３Ｃ：  連結部
１０：  第１のフレーム部材
１０Ａ：  第１の側面
１０Ｂ：  第２の側面
１０ａ：  第１の係止穴
１０′：  第２のフレーム部材
１０′Ａ：  第３の側面
１０′Ｂ：  第４の側面
１０′ａ：  第２の係止穴
Ｄ：  開口幅
ｔ：  厚み
【図１】
2005146778.tif 000003
【図２】
2005146778.tif 000004
【図３】
2005146778.tif 000005
【図４】
2005146778.tif 000006
【図５】
2005146778.tif 000007